(57)【要約】【課題】解錠状態においても、操作用キーを抜き取ることができ、能率の良い作業を行う。【解決手段】錠止状態においては、錠止片４５は円筒駆動部材４０と共に付勢コイルばねの付勢力によって、（ａ）の矢印方向に回動して、錠止溝１７内に嵌入する。解錠状態にするには、操作用キーをキー挿入孔に挿入し、右方向に回動すると、駆動シャフト３２が回動されてその両面Ｄカット部３３が、連結孔４２の突部４３を介して円筒駆動部材４０を駆動し、（ｂ）のように錠止片４５を回動し、錠止片４５は引き込まれ錠止溝１７から外れる。可動ユニットを下降させた状態で操作用キーＫから手を離せば、錠止片４５は付勢ばねの付勢力により（ｃ）の矢印方向に回動し、可動ユニット収容孔の壁面に当接するまで押し戻される。この状態で、（ｄ）のように駆動シャフト３２を左方向に回動させる余裕が生じ、操作用キーを挿入時の角度位置に戻し、引き抜くことができる。【選択図】図９
2010270530.tif 000002
【特許請求の範囲】
【請求項１】
固定のケーシングに対し可動の可動ユニットに設けた錠止シャフトを、被錠止体に対して抜け止め状態で施錠する施錠装置において、前記可動ユニットに回動可能に設け操作キーの回動により操作するキー操作部と、該キー操作部に設けた駆動シャフトと、前記可動ユニットに回動可能に設け前記駆動シャフトの回動に対し所定の遊び角を持って連結すると共に錠止片を備えた円筒駆動部材と、該円筒駆動部材を所定方向に付勢する付勢部材と、前記ケーシングに設け前記錠止片を受け入れる錠止溝とを備え、前記可動ユニットによる施錠時には、前記錠止片は前記錠止溝に嵌入して前記可動ユニットの前記ケーシングに対する移動を不能とし、前記可動ユニットによる解錠時には、前記操作キーの回動により前記キー操作部、前記円筒駆動部材を介して前記錠止片の前記錠止溝に対する嵌合を外し、前記可動ユニットを動かして前記錠止シャフトを前記被錠止体から抜き出すと共に、前記操作キーをその挿入時の位置に回動して前記操作キーを前記キー操作部からの抜き取りを可能とすることを特徴とする施錠装置。
【請求項２】
前記駆動シャフトに両面Ｄカット部を設け、前記駆動シャフトと連結する前記円筒駆動部材の連結孔に、前記両面Ｄカット部に作用して回動伝達の遊びを生じさせる突部を設けたことを特徴とする請求項１に記載の施錠装置。
【請求項３】
前記錠止片は回動により前記錠止溝に入り込む側を大きくしたことを特徴とする請求項１又は２に記載の施錠装置。
【請求項４】
前記被錠止体はチェーンとしたことを特徴とする請求項１に記載の施錠装置。
【発明の詳細な説明】
【技術分野】
【０００１】
本発明は、例えば自動販売機の扉体を、錠前が壊れても開扉できないようにする施錠装置に関するものである。
【背景技術】
【０００２】
自動販売機の内部には、販売すべき商品のみならず、売上金、釣銭が収納されているため、夜間などに自動販売機の扉体の錠を破壊して開扉し、金品を盗み出す犯罪が多発している。
【０００３】
このような犯罪に対処するため、扉体の錠を破壊されても開扉することができないようにする補助的なチェーン施錠装置が例えば特許文献１に開示されている。
【０００４】
一般に、従来のチェーン施錠装置は図１０に示すように、自動販売機１の扉体２に錠止装置３が取り付けられ、金属製のチェーン４の一端が錠止装置３に取り外し自在に取り付けられ、他端は自動販売機１の側面に固定されている。チェーン４は錠止装置３に弛みなく架け渡され、扉体２の本来の錠が破壊されても、チェーン４により扉体２の開扉が不可能とされている。
【先行技術文献】
【特許文献】
【０００５】
【特許文献１】特開２０００−１９９３６３号公報
【発明の概要】
【発明が解決しようとする課題】
【０００６】
自動販売機１の内部の商品の補充や、金銭の回収等の作業を行う場合などに、扉体２を開けて錠止装置３からチェーン４を外すことになるが、このとき錠止装置３に対し操作用キーを操作して可動ユニットを下降し錠止シャフトをチェーン４から抜き出す。
【０００７】
しかしながら可動ユニットを下降させたままでは、操作用キーを元の挿入時の位置に戻すことができず、操作用キーを抜き取ることはできない。操作用キーを錠止装置３に取り付けたままにして商品の補充作業等を続行することは不用心であり、錠止装置３から操作用キーを外してから作業を始める必要がある。従って、操作用キーを抜き取るには、可動ユニットを一旦上昇させて錠止装置３を施錠状態にしなければならない。
【０００８】
そのために、作業が終了し扉体２を閉止し、チェーン４を再び錠止するには、操作用キーを挿し込んで可動ユニットを下降させた後に、チェーン４を挿し込み、再び可動ユニットを上昇させて錠止シャフトによる施錠を行ってから、操作用キーを抜くという厄介な手順を必要とする。
【０００９】
本発明の目的は、上述の課題を解消し、可動ユニットの解錠状態においても、操作用キーを引き抜くことを可能とする施錠装置を提供することにある。
【課題を解決するための手段】
【００１０】
上記目的を達成するための本発明に係る施錠装置は、固定のケーシングに対し可動の可動ユニットに設けた錠止シャフトを、被錠止体に対して抜け止め状態で施錠する施錠装置において、前記可動ユニットに回動可能に設け操作キーの回動により操作するキー操作部と、該キー操作部に設けた駆動シャフトと、前記可動ユニットに回動可能に設け前記駆動シャフトの回動に対し所定の遊び角を持って連結すると共に錠止片を備えた円筒駆動部材と、該円筒駆動部材を所定方向に付勢する付勢部材と、前記ケーシングに設け前記錠止片を受け入れる錠止溝とを備え、前記可動ユニットによる施錠時には、前記錠止片は前記錠止溝に嵌入して前記可動ユニットの前記ケーシングに対する移動を不能とし、前記可動ユニットによる解錠時には、前記操作キーの回動により前記キー操作部、前記円筒駆動部材を介して前記錠止片の前記錠止溝に対する嵌合を外し、前記可動ユニットを動かして前記錠止シャフトを前記被錠止体から抜き出すと共に、前記操作キーをその挿入時の位置に回動して前記操作キーを前記キー操作部からの抜き取りを可能とすることを特徴とする。
【発明の効果】
【００１１】
本発明に係る施錠装置によれば、可動ユニットにより被錠止体を外した解錠状態においても、操作用キーを抜き取ることができ、また操作用キーを挿し込むことなく施錠できるので、能率の良い作業を行うことが可能になる。
【図面の簡単な説明】
【００１２】
【図１】前方から見た錠止装置の分解斜視図である。
【図２】後方から見た錠止装置の分解斜視図である。
【図３】ケーシングの断面図である。
【図４】可動ユニットの前方から見た断面図である。
【図５】円筒駆動部材の（ａ）拡大正面図及び（ｂ）拡大側面図である。
【図６】円筒駆動部材の平面図である。
【図７】施錠状態の断面図である。
【図８】解錠状態の断面図である。
【図９】連結機構の作動説明図である。
【図１０】チェーン施錠装置を取り付けた自動販売機の斜視図である。
【発明を実施するための形態】
【００１３】
本発明を図示の実施例に基づいて詳細に説明する。
図１、図２は図１０に示す自動販売機１の扉体２に固定するチェーン錠止装置の実施例の分解斜視図である。錠止装置は扉体２に固定するアルミニウム合金等の金属材料から成るケーシング１０と、このケーシング１０の内部で上下動自在の金属製の可動ユニット２０とを有し、ケーシング１０は上下に長い略角柱形のブロック体状に形成されている。そして、操作キーＫにより解錠するようになっている。なお、本実施例においては、説明の都合上、可動ユニット２０はケーシング１０に対し上下方向に動くものとして説明しているが、可動ユニット２０は例えば水平方向に動くようにしてもよい。
【００１４】
ケーシング１０は図３の断面図にも示すように、ケーシング１０の背面に、扉体２側から挿し込まれるボルトに対応する複数のねじ孔１１が設けられ、更にケーシング１０の上部に、ケーシング１０の前面側に開放され、チェーン４の端部のリング４ａが納まる深さの錠止用凹部１２が水平方向に設けられている。ケーシング１０の下面から上方に向かって、可動ユニット２０を収容する略角孔状の可動ユニット収容孔１３が設けられている。可動ユニット収容孔１３の上部と錠止用凹部１２との間には可動ユニット２０から突出された後述する錠止シャフトが挿通する挿通孔１４が設けられ、更に錠止用凹部１２の上部に錠止シャフトの上部が挿入される孔部１５が設けられている。
【００１５】
ケーシング１０の可動ユニット収容孔１３は下部の径が大きい段付き孔とされ、ケーシング１０の背面にはこの可動ユニット収容孔１３に連通する開口部１６が設けられている。可動ユニット収容孔１３の両側壁には、可動ユニット２０に設けられた後述する錠止片の両先端が入り込む錠止溝１７が前後方向に形成されている。
【００１６】
可動ユニット２０は図４の断面図にも示すように、可動ユニット収容孔１３の下部に収納される角筒状のキー機構収納体２１と、上部に収納される角筒状の錠止機構収納体２２と、この錠止機構収納体２２から上方に突出された錠止シャフト２３とから成り、キー機構収納体２１と錠止機構収納体２２は結合部２４により結合されて一体とされている。また、可動ユニット２０の背部にはビス孔２５が貫通され、ビス２６がねじ込まれている。
【００１７】
キー機構収納体２１には、キー操作部２７を回動可能に内蔵した略円筒状の外筒２８が挿通され、外筒２８の外周にはねじ溝２９と共に、キー機構収納体２１に対し回転しないように両面Ｄカット部３０が形成されている。また、キー操作部２７には操作用キーＫを挿入するキー挿入孔３１が設けられている。
【００１８】
更に、キー操作部２７から上方に向けて駆動シャフト３２が突出され、駆動シャフト３２には両面Ｄカット部３３が形成されている。駆動シャフト３２の基部にはカム板３４が固定され、このカム板３４は外筒２８に設けられたカム係止部３５との係止により、キー操作部２７は外筒２８に対し例えば９０度以内でのみの回動が許容されている。
【００１９】
外筒２８はキー機構収納体２１の内孔に設けた段部３６に係止され、キー機構収納体２１の上方において、外筒２８の外周に設けたねじ溝２９にナット３７が螺合され、このナット３７を締め付けることにより、外筒２８はキー機構収納体２１に回転不能に固定されている。
【００２０】
錠止機構収納体２２には、図５（ａ）、（ｂ）に示す円筒駆動部材４０が内挿され、円筒駆動部材４０の中間部には環状溝４１が設けられ、この環状溝４１はビス２６の先端が挿入され、円筒駆動部材４０は錠止機構収納体２２に対し回動可能とされているが、上下動不能とされている。円筒駆動部材４０の下部には、その軸線方向にキー操作部２７の駆動シャフト３２が嵌合して連結する連結孔４２が形成され、連結孔４２の入口部の対向する２個所には、内側に向けて突出する突部４３が設けられている。また、図６に示すように円筒駆動部材４０の上部には、断面矩形状の軸部４４が上方に向けて形成され、この軸部４４に長板状の錠止片４５が固定されており、錠止片４５の両端は錠止機構収納体２２の両側にそれぞれ設けられた切込部４６、４７から、円筒駆動部材４０の回動により外方に突出するようにされている。また、円筒駆動部材４０と共に回動する錠止片４５の両先端は、錠止溝１７に係止し易いように付勢方向に大きく張り出されている。
【００２１】
円筒駆動部材４０は錠止機構収納体２２内に設けられた付勢コイルばね４８により操作用キーＫによる解錠方向とは逆方向に常時付勢されている。なお、付勢コイルばね４８の一端は錠止機構収納体２２に形成された孔部４９に係止され、他方は円筒駆動部材４０に設けた係止部５０に係止されている。
【００２２】
図７に示すように、可動ユニット２０は施錠時の上昇位置ではその全長がケーシング１０内に嵌入し、キー機構収納体２１が可動ユニット収容孔１３の段部に当接し、それ以上の上昇が規制された状態で、錠止シャフト２３は錠止用凹部１２においてリング４ａを貫通してリング４ａを保持し鎖錠がなされる。この鎖錠時には、錠止片４５は錠止機構収納体２２の切込部４６、４７から外側に突出し、錠止溝１７内に嵌合している。なお、付勢コイルばね４８の付勢力は、円筒駆動部材４０の突部４３、駆動シャフト３２を介してキー操作部２７にも及んでいる。
【００２３】
また、図８に示すような可動ユニット２０の解錠時の下降位置では、キー機構収納体２１の一部がケーシング１０の下面から下方に突出し、錠止シャフト２３は下降してリング４ａから抜け出ている。なお、その際に可動ユニット２０の背面のビス孔２５にねじ込まれたビス２６の頭部が、ケーシング１０の開口部１６の下縁に係止して、可動ユニット２０はケーシング１０から落下しないようにされている。
【００２４】
図９（ａ）〜（ｄ）は駆動シャフト３２と円筒駆動部材４０の連結孔４２との連結機構の作動説明図である。両面Ｄカット部３３が形成された駆動シャフト３２の挿入に対し、円筒駆動部材４０の連結孔４２は突部４３により回動方向に９０度の遊びが設けられている。
【００２５】
錠止装置にチェーン４を鎖錠するには、ケーシング１０から可動ユニット２０を下降させた図８の状態で、チェーン４の端部のリング４ａを錠止用凹部１２に挿入する。次いで、錠止シャフト２３がリング４ａの環部内に入るように調整しながら、可動ユニット２０を手で押し上げる。なお、このときに操作用キーＫをキー挿入孔３１に挿入することなく施錠ができる。
【００２６】
可動ユニット２０を押し上げると、錠止片４５の先端は可動ユニット収容孔１３の壁面に沿って上昇するが、図８に示すように錠止シャフト２３の上端がケーシング１０の孔部１５に挿入されると同時に、錠止片４５は錠止溝１７の高さ位置に達する。これにより、錠止片４５に対する可動ユニット収容孔１３の壁面による回動規制が解除されるので、錠止片４５は円筒駆動部材４０と共に付勢コイルばね４８の付勢力によって、図９（ａ）に示す矢印方向に回動して、錠止片４５の両先端は錠止溝１７内に嵌入する。これにより、図７に示すように可動ユニット２０はケーシング１０に対し上下方向に固定され、錠止シャフト２３はリング４ａを確実に鎖錠することになる。
【００２７】
また、図７に示す状態から可動ユニット２０を図８に示す解錠状態に下降するには、作業者は操作用キーＫを可動ユニット２０のキー挿入孔３１に挿入し、解錠方向の右方向に回動する。操作用キーＫがキー操作部２７内のシリンダ錠機構と合致していれば、シリンダ錠機構はキー操作部２７をカム板３４で規制する所定角度範囲内での矢印方向の回動を許容する。
【００２８】
この回動と共に駆動シャフト３２が回動されて駆動シャフト３２の両面Ｄカット部３３が、連結孔４２の突部４３を介して円筒駆動部材４０を駆動し、図９（ｂ）に示すように円筒駆動部材４０と共に錠止片４５を回動する。これにより、錠止片４５は錠止機構収納体２２の内部に引き込まれ、錠止溝１７から外れる。この状態で、可動ユニット２０は自重で下降、或いは手で引き下げることにより、錠止シャフト２３も下降してリング４ａに対する鎖錠が解除され、可動ユニット２０は図８に示すように所定の下降位置で停止する。
【００２９】
可動ユニット２０を下降させた状態で操作用キーＫから手を離せば、円筒駆動部材４０は付勢ばね４８の付勢力により図９（ｃ）に示すように矢印方向に回動し、錠止片４５の先端が可動ユニット収容孔１３の壁面に当接するまで押し戻される。
【００３０】
この状態においては、駆動シャフト３２つまりはキー操作部２７を連結孔４２の突部４３に対し左方向に回動させる余裕が生じ、図９（ｄ）に示すように操作用キーＫを挿入時の角度位置に戻すことができ、操作用キーＫをそのまま引き抜くことが可能となる。
【００３１】
なお、実施例の説明においては、施錠の対象をチェーンとしたが、チェーンに限らず他の被錠止体に対しても適用可能であり、また自動販売機への使用に限定されるものではない。
【符号の説明】
【００３２】
１  自動販売機
２  扉体
３  錠止装置
４  チェーン
１０  ケーシング
１２  錠止用凹部
１３  可動ユニット収容孔
１７  錠止溝
２０  可動ユニット
２１  キー機構収納体
２２  錠止機構収納体
２７  キー操作部
２８  外筒
３２  駆動シャフト
３３  両面Ｄカット部
３４  カム板
４０  駆動円筒部材
４１  環状溝
４２  連結孔
４３  突部
４４  軸部
４５  錠止片
４８  付勢コイルばね
【図１】
2010270530.tif 000003
【図２】
2010270530.tif 000004
【図３】
2010270530.tif 000005
【図４】
2010270530.tif 000006
【図５】
2010270530.tif 000007
【図６】
2010270530.tif 000008
【図７】
2010270530.tif 000009
【図８】
2010270530.tif 000010
【図９】
2010270530.tif 000011
【図１０】
2010270530.tif 000012
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
固定のケーシングに対し錠止位置と非錠止位置との間を軸方向に移動可能とする可動ユニットに錠止シャフトを設け、該錠止シャフトは前記可動ユニットの錠止位置において被錠止体に対する抜け止め機構として作用する施錠装置において、
前記可動ユニットに対し軸方向には移動不能で回転方向には所定の角度範囲内で回動可能にして前記可動ユニットに取り付け、操作キーの回動操作により回動するキー操作部と、
該キー操作部に一体に設けた駆動シャフトと、
前記可動ユニットに対し軸方向には移動不能で回転方向には回動可能にして前記可動ユニットに取り付け、前記駆動シャフトに回動方向に所定の遊び角を持って回転方向に連結する円筒駆動部材と、
該円筒駆動部材に一体に設けた錠止片と、
前記円筒駆動部材を前記錠止片による錠止方向である回動方向に付勢する付勢部材と、
前記ケーシングに設け前記可動ユニットの錠止位置において前記錠止片を嵌入する錠止溝とを備え、
前記可動ユニットを前記錠止位置に移動した施錠時には、前記付勢部材の付勢力により前記円筒駆動部材を付勢方向に回動し、前記錠止片を前記錠止溝に嵌入して前記可動ユニットの前記ケーシングに対する移動を不能とし、
前記可動ユニットの移動による解錠時には、前記操作キーを前記キー操作部に挿入し、前記操作キーを前記付勢部材の反付勢方向に回動操作して、前記キー操作部、前記円筒駆動部材を回動し前記錠止片の前記錠止溝に対する嵌入を外し、前記可動ユニットを前記非錠止位置に移動すると共に、前記操作キーを前記遊び角を利用して挿入時の所定角度位置に回動操作して、前記操作キーを前記キー操作部からの抜き取りを可能とすることを特徴とする施錠装置。
【請求項２】
前記駆動シャフトに両面Ｄカット部を設け、前記円筒駆動部材の連結孔に、前記両面Ｄカット部に作用して前記遊び角を生じさせて連結する突部を設けたことを特徴とする請求項１に記載の施錠装置。
【請求項３】
前記錠止片は回動により前記錠止溝に入り込む側を大きくしたことを特徴とする請求項１又は２に記載の施錠装置。
【請求項４】
前記被錠止体はチェーンとしたことを特徴とする請求項１に記載の施錠装置。
【手続補正２】
【補正対象書類名】明細書
【補正対象項目名】０００７
【補正方法】変更
【補正の内容】
【０００７】
しかしながら可動ユニットを下降させた解錠状態のままでは、操作用キーを元の挿入時の角度位置に戻すことができない。通常の錠前では、操作用キーを挿入時の角度位置に戻さなければ、抜き取ることはできない構造となっているために、解錠状態の操作用キーは錠止装置３に取り付けたままとならざるを得ない。しかし、操作用キーを錠止装置３に取り付けたままにして商品の補充作業等を続行することは不用心であり、錠止装置３から操作用キーを外してから作業を始める必要がある。従って、操作用キーを抜き取るには、可動ユニットを一旦上昇させて錠止装置３を施錠状態にしなければならない。
【手続補正３】
【補正対象書類名】明細書
【補正対象項目名】００１０
【補正方法】変更
【補正の内容】
【００１０】
上記目的を達成するための本発明に係る施錠装置は、固定のケーシングに対し錠止位置と非錠止位置との間を軸方向に移動可能とする可動ユニットに錠止シャフトを設け、該錠止シャフトは前記可動ユニットの錠止位置において被錠止体に対する抜け止め機構として作用する施錠装置において、前記可動ユニットに対し軸方向には移動不能で回転方向には所定の角度範囲内で回動可能にして前記可動ユニットに取り付け、操作キーの回動操作により回動するキー操作部と、該キー操作部に一体に設けた駆動シャフトと、前記可動ユニットに対し軸方向には移動不能で回転方向には回動可能にして前記可動ユニットに取り付け、前記駆動シャフトに回動方向に所定の遊び角を持って回転方向に連結する円筒駆動部材と、該円筒駆動部材に一体に設けた錠止片と、前記円筒駆動部材を前記錠止片による錠止方向である回動方向に付勢する付勢部材と、前記ケーシングに設け前記可動ユニットの錠止位置において前記錠止片を嵌入する錠止溝とを備え、前記可動ユニットを前記錠止位置に移動した施錠時には、前記付勢部材の付勢力により前記円筒駆動部材を付勢方向に回動し、前記錠止片を前記錠止溝に嵌入して前記可動ユニットの前記ケーシングに対する移動を不能とし、前記可動ユニットの移動による解錠時には、前記操作キーを前記キー操作部に挿入し、前記操作キーを前記付勢部材の反付勢方向に回動操作して、前記キー操作部、前記円筒駆動部材を回動し前記錠止片の前記錠止溝に対する嵌入を外し、前記可動ユニットを前記非錠止位置に移動すると共に、前記操作キーを前記遊び角を利用して挿入時の所定角度位置に回動操作して、前記操作キーを前記キー操作部からの抜き取りを可能とすることを特徴とする。
【手続補正４】
【補正対象書類名】明細書
【補正対象項目名】００２４
【補正方法】変更
【補正の内容】
【００２４】
図９（ａ）〜（ｄ）は駆動シャフト３２と円筒駆動部材４０の連結孔４２との連結機構の作動説明図である。両面Ｄカット部３３が形成された駆動シャフト３２の挿入に対し、円筒駆動部材４０の連結孔４２は突部４３により回動方向に９０度の遊び角が設けられている。つまり、駆動シャフト３２は円筒駆動部材４０を連結して回動させるが、この駆動シャフト３２の回動には遊び角により円筒駆動部材４０が必ずしも追従しないようになっている。
【手続補正５】
【補正対象書類名】明細書
【補正対象項目名】００２６
【補正方法】変更
【補正の内容】
【００２６】
可動ユニット２０を押し上げると、錠止片４５の先端は可動ユニット収容孔１３の壁面に沿って上昇するが、図８に示すように錠止シャフト２３の上端がケーシング１０の孔部１５に挿入されると同時に、錠止片４５は錠止溝１７の高さ位置に達する。これにより、錠止片４５に対する可動ユニット収容孔１３の壁面による回動規制が解除されるので、駆動シャフト３２が回動しなくとも遊び角により、錠止片４５は円筒駆動部材４０と共に付勢コイルばね４８の付勢力によって、図９（ａ）に示す矢印方向に回動して、錠止片４５の両先端は錠止溝１７内に嵌入する。これにより、図７に示すように可動ユニット２０はケーシング１０に対し上下方向に固定され、錠止シャフト２３はリング４ａを確実に鎖錠することになる。
【手続補正６】
【補正対象書類名】明細書
【補正対象項目名】００２７
【補正方法】変更
【補正の内容】
【００２７】
また、図７に示す状態から可動ユニット２０を図８に示す解錠状態にするには、作業者は操作用キーＫをキー挿入孔３１に所定の挿入角度位置で挿入し、付勢コイルばね４８の付勢力に抗する解錠方向である右方向に回動する。操作用キーＫがキー操作部２７内のシリンダ錠機構と合致していれば、シリンダ錠機構はキー操作部２７をカム板３４で規制する所定角度範囲内での矢印方向の回動を許容する。
【手続補正７】
【補正対象書類名】明細書
【補正対象項目名】００２９
【補正方法】変更
【補正の内容】
【００２９】
可動ユニット２０を下降させた状態で操作用キーＫから手を離せば、円筒駆動部材４０は付勢ばね４８の付勢力により図９（ｃ）に示すように遊び角によって矢印方向に回動し、錠止片４５の先端が可動ユニット収容孔１３の壁面に当接するまで押し戻される。しかし、この状態では操作用キーＫは挿入時の角度位置からずれているために、キー操作部２７の機構により抜き取ることはできない。
【手続補正８】
【補正対象書類名】明細書
【補正対象項目名】００３０
【補正方法】変更
【補正の内容】
【００３０】
この状態においては、駆動シャフト３２つまりはキー操作部２７を連結孔４２の突部４３に対し左方向に遊び角による回動を生じさせる余裕があるために、図９（ｄ）に示すように操作用キーＫを挿入時の角度位置に戻すことができるので、操作用キーＫをそのまま引き抜くことが可能となる。